(57)【特許請求の範囲】
【請求項１】
移動通信システムのネットワークからマルチキャスト又はブロードキャストで提供されるＭＢＭＳサービスに対する需要状況を前記ネットワークで把握するためのＭＢＭＳ制御方法であって、
前記ネットワークに含まれる基地局が、ＲＲＣアイドル状態のユーザ端末が受信可能な所定信号により、前記ＭＢＭＳサービスを受信している又は受信に興味のあるユーザ端末を計数するためのＭＢＭＳ計数要求を送信するステップと、
ＭＢＭＳ受信と、直接的な端末間通信であるＤ２Ｄ通信とをサポートする第１のユーザ端末が、前記ＲＲＣアイドル状態において、前記所定信号により送信された前記ＭＢＭＳ計数要求を受信するステップと、  前記第１のユーザ端末が、前記ＲＲＣアイドル状態において、前記受信したＭＢＭＳ計数要求に基づいて、ＭＢＭＳ計数応答をＤ２Ｄ信号により送信するステップと、
ＲＲＣ接続状態のユーザ端末である第２のユーザ端末が、前記Ｄ２Ｄ信号により送信された前記ＭＢＭＳ計数応答を受信するステップと、
前記第２のユーザ端末が、前記ＲＲＣ接続状態において、前記受信したＭＢＭＳ計数応答を前記ネットワークに転送するステップと、を有することを特徴とするＭＢＭＳ制御方法。
【請求項２】
前記所定信号は、ブロードキャスト信号又はマルチキャスト信号であることを特徴とする請求項１に記載のＭＢＭＳ制御方法。
【請求項３】
前記ネットワークに含まれるＭＢＭＳ制御装置が、前記ＭＢＭＳ計数要求の送信を前記基地局に要求するステップをさらに有し、
前記ＭＢＭＳ計数要求を送信するステップにおいて、前記基地局は、前記ＭＢＭＳ制御装置からの前記要求に応じて、前記ＭＢＭＳ計数要求を送信することを特徴とする請求項２に記載のＭＢＭＳ制御方法。
【請求項４】
前記Ｄ２Ｄ信号は、近傍ユーザ端末の発見に使用されるＤ２Ｄ発見用信号又はユーザ端末間同期の確立に使用されるＤ２Ｄ同期信号であることを特徴とする請求項１に記載のＭＢＭＳ制御方法。
【請求項５】
前記転送するステップにおいて、前記第２のユーザ端末は、前記受信したＭＢＭＳ計数応答を、前記第１のユーザ端末の識別子と共に前記ネットワークに転送することを特徴とする請求項１に記載のＭＢＭＳ制御方法。
【請求項６】
前記ネットワークが、前記Ｄ２Ｄ信号により送信された前記ＭＢＭＳ計数応答を受信するステップをさらに有することを特徴とする請求項１に記載のＭＢＭＳ制御方法。
【請求項７】
ＭＢＭＳ受信と、直接的な端末間通信であるＤ２Ｄ通信とをサポートする第１のユーザ端末であって、
マルチキャスト又はブロードキャストでＭＢＭＳサービスを提供するネットワークに含まれる基地局から、前記ＭＢＭＳサービスを受信している又は受信に興味のあるユーザ端末を計数するためのＭＢＭＳ計数要求を受信する受信部と、  前記受信したＭＢＭＳ計数要求に基づいて、ＭＢＭＳ計数応答を送信する送信部と、を有し、
前記ＭＢＭＳ計数要求は、ＲＲＣアイドル状態のユーザ端末が受信可能な所定信号により送信され、
前記受信部は、前記第１のユーザ端末が前記ＲＲＣアイドル状態において、前記所定信号により送信された前記ＭＢＭＳ計数要求を受信し、
前記送信部は、前記第１のユーザ端末が前記ＲＲＣアイドル状態である場合において、前記ＭＢＭＳ計数応答をＤ２Ｄ信号により送信し、
前記Ｄ２Ｄ信号により送信される前記ＭＢＭＳ計数応答は、接続状態の第２のユーザ端末から前記ネットワークに転送されることを特徴とするユーザ端末。
【発明の詳細な説明】
【技術分野】
【０００１】
本発明は、移動通信システムにおいて用いられるＭＢＭＳ制御方法、ユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の仕様が策定されている。ＭＢＭＳでは、ユーザ端末は、移動通信システムのネットワークからマルチキャスト又はブロードキャストで提供されるＭＢＭＳサービスを受信する。【０００３】
また、ＭＢＭＳサービスに対する需要状況をネットワークで把握可能とするために、ＭＢＭＳサービスを受信している又は受信に興味のあるユーザ端末を計数するためのＭＢＭＳ計数手順（ＭＢＭＳ  Ｃｏｕｎｔｉｎｇ  ｐｒｏｃｅｄｕｒｅ）が導入されている（非特許文献１参照）。【０００４】
ＭＢＭＳ計数手順では、ネットワークは、ユーザ端末に対して、ＭＢＭＳ計数要求（ＭＢＭＳ  Ｃｏｕｎｔｉｎｇ  ｒｅｑｕｅｓｔ）を送信する。当該ユーザ端末は、ＲＲＣ接続状態においてＭＢＭＳ計数応答（ＭＢＭＳ  Ｃｏｕｎｔｉｎｇ  ｒｅｓｐｏｎｓｅ）をネットワークに送信する。
【先行技術文献】
【非特許文献】
【０００５】
【非特許文献１】３ＧＰＰ技術仕様書  「ＴＳ３６．３３１  Ｖ１２．０．０」  ２０１３年１２月
【発明の概要】
【０００６】
ＭＢＭＳでは、ＲＲＣ接続状態のユーザ端末（以下「ＲＲＣ接続端末」という）だけでなく、ＲＲＣアイドル状態のユーザ端末（以下「ＲＲＣアイドル端末」という）もＭＢＭＳサービスを受信できる。
【０００７】
しかしながら、上述したＭＢＭＳ計数手順は、ＲＲＣ接続端末に対して適用されるものの、ＲＲＣアイドル端末に対して適用されないため、ＭＢＭＳサービスに対する需要状況をネットワークで十分に把握できないという問題がある。
【０００８】
そこで、本発明は、ＭＢＭＳサービスに対する需要状況をネットワークで十分に把握可能とするＭＢＭＳ制御方法、ユーザ端末及び基地局を提供することを目的とする。
【０００９】
第１の特徴に係るＭＢＭＳ制御方法は、移動通信システムのネットワークからマルチキャスト又はブロードキャストで提供されるＭＢＭＳサービスに対する需要状況を前記ネットワークで把握するための方法である。前記ＭＢＭＳ制御方法は、前記ネットワークに含まれる基地局が、ＲＲＣアイドル状態のユーザ端末が受信可能な所定信号により、前記ＭＢＭＳサービスを受信している又は受信に興味のあるユーザ端末を計数するためのＭＢＭＳ計数要求を送信するステップと、ＭＢＭＳ受信をサポートするＭＢＭＳ対応端末が、前記ＲＲＣアイドル状態において、前記所定信号により送信された前記ＭＢＭＳ計数要求を受信するステップと、前記ＭＢＭＳ対応端末が、前記受信したＭＢＭＳ計数要求に基づいて、ＭＢＭＳ計数応答を送信するための所定の動作を行うステップと、を有する。
【００１０】
第２の特徴に係るユーザ端末は、ＭＢＭＳ受信をサポートする。前記ユーザ端末は、マルチキャスト又はブロードキャストでＭＢＭＳサービスを提供するネットワークに含まれる基地局から、前記ＭＢＭＳサービスを受信している又は受信に興味のあるユーザ端末を計数するためのＭＢＭＳ計数要求を受信する受信部と、前記受信したＭＢＭＳ計数要求に基づいて、ＭＢＭＳ計数応答を送信するための所定の動作を行う制御部と、を有する。前記ＭＢＭＳ計数要求は、ＲＲＣアイドル状態のユーザ端末が受信可能な所定信号により送信される。前記受信部は、自ユーザ端末が前記ＲＲＣアイドル状態において、前記所定信号により送信された前記ＭＢＭＳ計数要求を受信する。
【００１１】
第３の特徴に係る基地局は、ＭＢＭＳサービスをサポートする。前記基地局は、ＲＲＣアイドル状態のユーザ端末が受信可能な所定信号により、前記ＭＢＭＳサービスを受信している又は受信に興味のあるユーザ端末を計数するためのＭＢＭＳ計数要求を送信する送信部を有する。前記ＭＢＭＳ計数要求は、ＭＢＭＳ計数応答を送信するための所定の動作をユーザ端末が行うための要求である。
【図面の簡単な説明】
【００１２】
【図１】第１実施形態乃至第５実施形態に係るＬＴＥシステムの構成図である。
【図２】第１実施形態乃至第５実施形態に係るＵＥのブロック図である。
【図３】第１実施形態乃至第５実施形態に係るｅＮＢのブロック図である。
【図４】第１実施形態乃至第５実施形態に係る無線インターフェイスのプロトコルスタック図である。
【図５】第１実施形態乃至第５実施形態に係る無線フレームの構成図である。
【図６】第１実施形態乃至第５実施形態に係るＭＢＭＳが提供されるエリアを示す図である。
【図７】第１実施形態乃至第５実施形態に係るＭＢＭＳに関連するネットワーク構成を示す図である。
【図８】第１実施形態に係る動作シーケンスを示す図である。
【図９】第２実施形態に係る動作シーケンスを示す図である。
【図１０】第３実施形態に係る動作シーケンスを示す図である。
【図１１】第４実施形態に係る動作シーケンスを示す図である。
【図１２】第５実施形態に係るＭＢＭＳ制御方法を示す図である。
【図１３】第５実施形態に係るＤｉｓｃｏｖｅｒｙ信号の送信方法を示す図である。
【図１４】第５実施形態に係る動作シーケンスを示す図である。
【図１５】第５実施形態に係るＤｉｓｃｏｖｅｒｙ信号の構成例を示す図である。
【図１６】第５実施形態に係るＲＲＣ接続ＵＥ又はｅＮＢの動作を説明するための図である。
【図１７】第５実施形態に係るＭＢＭＳ計数応答の重複を解消するための処理を説明するための図である。
【発明を実施するための形態】
【００１３】
［実施形態の概要］
第１実施形態乃至第５実施形態に係るＭＢＭＳ制御方法は、移動通信システムのネットワークからマルチキャスト又はブロードキャストで提供されるＭＢＭＳサービスに対する需要状況を前記ネットワークで把握するための方法である。前記ＭＢＭＳ制御方法は、前記ネットワークに含まれる基地局が、ＲＲＣアイドル状態のユーザ端末が受信可能な所定信号により、前記ＭＢＭＳサービスを受信している又は受信に興味のあるユーザ端末を計数するためのＭＢＭＳ計数要求を送信するステップと、ＭＢＭＳ受信をサポートするＭＢＭＳ対応端末が、前記ＲＲＣアイドル状態において、前記所定信号により送信された前記ＭＢＭＳ計数要求を受信するステップと、前記ＭＢＭＳ対応端末が、前記受信したＭＢＭＳ計数要求に基づいて、ＭＢＭＳ計数応答を送信するための所定の動作を行うステップと、を有する。
【００１４】
第１実施形態乃至第５実施形態では、前記所定信号は、ブロードキャスト信号又はマルチキャスト信号である。
【００１５】
第１実施形態乃至第５実施形態では、前記ネットワークに含まれるＭＢＭＳ制御装置が、前記ＭＢＭＳ計数要求の送信を前記基地局に要求するステップをさらに有する。前記ＭＢＭＳ計数要求を送信するステップにおいて、前記基地局は、前記ＭＢＭＳ制御装置からの前記要求に応じて、前記ＭＢＭＳ計数要求を送信する。
【００１６】
第１実施形態では、前記所定の動作を行うステップは、前記ＭＢＭＳ計数要求を受信した前記ＭＢＭＳ対応端末が、ＲＲＣ接続状態に遷移するまで、前記ＭＢＭＳ計数応答の送信を保留するステップを含む。前記ＭＢＭＳ制御方法は、前記ＭＢＭＳ対応端末が、前記ＲＲＣ接続状態に遷移した後、前記ＭＢＭＳ計数応答を前記ネットワークに送信するステップをさらに有する。
【００１７】
第１実施形態では、前記ＭＢＭＳ計数要求は、該ＭＢＭＳ計数要求のメッセージ有効期間を示す情報を含む。前記ＭＢＭＳ計数要求を受信した前記ＭＢＭＳ対応端末は、前記ＲＲＣ接続状態に遷移する前に前記メッセージ有効期間が満了した場合に、前記ＭＢＭＳ計数応答の送信を中止する。
【００１８】
第１実施形態では、前記ＭＢＭＳ計数要求は、該ＭＢＭＳ計数要求のメッセージ識別子を含む。前記ＭＢＭＳ計数応答を送信するステップにおいて、前記ＭＢＭＳ対応端末は、前記メッセージ識別子を含む前記ＭＢＭＳ計数応答を前記ネットワークに送信する。
【００１９】
第２実施形態及び第３実施形態では、前記所定の動作を行うステップは、前記ＭＢＭＳ計数要求を受信した前記ＭＢＭＳ対応端末が、所定の条件を満たす場合に、前記ネットワークに対するランダムアクセス手順を行うステップを含む。前記ＭＢＭＳ制御方法は、前記ランダムアクセス手順によりＲＲＣ接続状態に遷移した前記ＭＢＭＳ対応端末が、前記ＭＢＭＳ計数応答を前記ネットワークに送信するステップをさらに有する。
【００２０】
第２実施形態では、前記ＭＢＭＳ計数要求は、ＭＢＭＳサービス識別子を含む。前記所定の条件は、前記ＭＢＭＳサービス識別子が示すＭＢＭＳサービスを受信している又は受信に興味があるという条件である。
【００２１】
第３実施形態の動作パターン１では、前記所定の条件は、前記ＭＢＭＳ計数要求とは別に、前記ＭＢＭＳ対応端末宛てのページング信号を受信したという条件である。
【００２２】
第３実施形態の動作パターン２では、前記所定信号は、前記ＭＢＭＳ対応端末宛てのページング信号である。前記ページング信号により送信された前記ＭＢＭＳ計数要求を受信した前記ＭＢＭＳ対応端末は、ＲＲＣ接続状態に遷移した上で、前記ＭＢＭＳ計数応答を前記ネットワークに送信する。
【００２３】
第３実施形態では、前記ＭＢＭＳ制御方法は、前記ページング信号を送信する前記基地局が、自基地局へのユーザ端末のハンドオーバの状況、自基地局が保有する非競合ランダムアクセスプリアンブルの空き状況、の少なくとも１つに基づいて、前記ページング信号の送信先を決定するステップをさらに有する。
【００２４】
第４実施形態では、前記所定の動作を行うステップは、前記ＭＢＭＳ計数要求を受信した前記ＭＢＭＳ対応端末が、前記ネットワークに対するランダムアクセス手順を行うステップを含む。前記ＭＢＭＳ制御方法は、前記ランダムアクセス手順によりＲＲＣ接続状態に遷移した前記ＭＢＭＳ対応端末が、前記ＭＢＭＳ計数応答を前記ネットワークに送信するステップをさらに有する。前記ＭＢＭＳ計数要求は、前記ランダムアクセス手順におけるランダムアクセスプリアンブル送信のタイミングを制御するための制御情報を含む。
【００２５】
第４実施形態では、前記制御情報は、前記ランダムアクセスプリアンブル送信の基準時間間隔及び最大時間間隔を含む。前記ランダムアクセス手順を行うステップは、前記基準時間間隔と乱数とに基づいて、前記最大時間間隔を超えない範囲で、前記ランダムアクセスプリアンブル送信のタイミングを決定する。
【００２６】
第５実施形態では、前記ＭＢＭＳ対応端末は、直接的な端末間通信であるＤ２Ｄ通信をさらにサポートしている。前記所定の動作を行うステップは、前記ＭＢＭＳ計数要求を受信した前記ＭＢＭＳ対応端末が、前記ＲＲＣアイドル状態において、Ｄ２Ｄ信号により前記ＭＢＭＳ計数応答を送信するステップを含む。
【００２７】
第５実施形態では、前記ＭＢＭＳ制御方法は、ＲＲＣ接続端末が、前記Ｄ２Ｄ信号により送信された前記ＭＢＭＳ計数応答を受信するステップと、前記ＲＲＣ接続状態のユーザ端末であるＲＲＣ接続端末が、前記受信したＭＢＭＳ計数応答を前記ネットワークに転送するステップと、をさらに有する。
【００２８】
第５実施形態では、前記転送するステップにおいて、前記ＲＲＣ接続端末が、前記受信したＭＢＭＳ計数応答を、前記ＭＢＭＳ対応端末の識別子と共に前記ネットワークに転送する。
【００２９】
第５実施形態では、前記ＭＢＭＳ制御方法は、前記ネットワークが、前記Ｄ２Ｄ信号により送信された前記ＭＢＭＳ計数応答を受信するステップをさらに有する。
【００３０】
第１実施形態乃至第５実施形態に係るユーザ端末は、ＭＢＭＳ受信をサポートする。前記ユーザ端末は、マルチキャスト又はブロードキャストでＭＢＭＳサービスを提供するネットワークに含まれる基地局から、前記ＭＢＭＳサービスを受信している又は受信に興味のあるユーザ端末を計数するためのＭＢＭＳ計数要求を受信する受信部と、前記受信したＭＢＭＳ計数要求に基づいて、ＭＢＭＳ計数応答を送信するための所定の動作を行う制御部と、を有する。前記ＭＢＭＳ計数要求は、ＲＲＣアイドル端末が受信可能な所定信号により送信される。前記受信部は、自ユーザ端末が前記ＲＲＣアイドル状態において、前記所定信号により送信された前記ＭＢＭＳ計数要求を受信する。
【００３１】
第１実施形態乃至第５実施形態に係る基地局は、マルチキャスト又はブロードキャストでＭＢＭＳサービスを提供するネットワークに含まれる。前記基地局は、ＲＲＣアイドル状態のユーザ端末が受信可能な所定信号により、前記ＭＢＭＳサービスを受信している又は受信に興味のあるユーザ端末を計数するためのＭＢＭＳ計数要求を送信する送信部を有する。前記ＭＢＭＳ計数要求は、ＭＢＭＳ計数応答を送信するための所定の動作をユーザ端末が行うための要求である。
【００３２】
［第１実施形態］
以下において、本発明をＬＴＥシステムに適用する場合の実施形態を説明する。
【００３３】
（１）システム構成
以下において、第１実施形態に係るＬＴＥシステムのシステム構成について説明する。図１は、第１実施形態に係るＬＴＥシステムの構成図である。
【００３４】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３５】
ＵＥ１００は、ユーザ端末に相当する。ＵＥ１００は、移動型の通信装置であり、セル（サービングセル）との無線通信を行う。ＵＥ１００の構成については後述する。
【００３６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３７】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３８】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００３９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４２】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。また、メモリ２３０をプロセッサ２４０と一体化し、このセット（すなわち、チップセット）をプロセッサとしてもよい。
【００４４】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４７】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４９】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００５０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５１】
ＰＤＣＰ層は、ヘッダ圧縮・伸張、及び暗号化・復号化を行う。
【００５２】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣ接続状態であり、そうでない場合、ＵＥ１００はＲＲＣアイドル状態である。
【００５３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５５】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００５６】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの区間は、主にユーザデータを伝送するための物理下りリンク共有チャネル（ＰＤＳＣＨ）として使用できる領域である。
【００５７】
上りリンクにおいて、各サブフレームにおける周波数方向の両端部は、主に制御信号を伝送するための物理上りリンク制御チャネル（ＰＵＣＣＨ）として使用される領域である。各サブフレームにおける他の部分は、主にユーザデータを伝送するための物理上りリンク共有チャネル（ＰＵＳＣＨ）として使用できる領域である。
【００５８】
（２）ＭＢＭＳの概要
以下において、ＭＢＭＳの概要について説明する。第１実施形態に係るＬＴＥシステムは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）をサポートする。ＭＢＭＳでは、ＵＥ１００（ＭＢＭＳ対応ＵＥ）は、ネットワークからマルチキャスト又はブロードキャストで配信されるマルチメディアコンテンツ（ＭＢＭＳサービス）を受信する。ＵＥ１００は、ＲＲＣ接続状態だけでなく、ＲＲＣアイドル状態においてもＭＢＭＳデータを受信可能である。
【００５９】
図６は、ＭＢＭＳが提供されるエリアを示す図である。図６に示すように、複数のセルにより１つのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）エリアが構成され、複数のＭＢＳＦＮエリアによりＭＢＭＳサービスエリアが構成される。１つのセルは、複数のＭＢＳＦＮエリアに属することができる。
【００６０】
図７は、ＭＢＭＳに関連するネットワーク構成を示す図である。図７に示すように、ＢＭＳＣ（ｂｒｏａｄｃａｓｔ  ｍｕｌｔｉｃａｓｔ  ｓｅｒｖｉｃｅ  Ｃｅｎｔｅｒ）３１０は、ＭＢＭＳデータを配信する機能を提供する。ＭＢＭＳ−ＧＷ（ＭＢＭＳ  ｇａｔｅｗａｙ）３２０は、ＭＢＭＳデータを各ｅＮＢ２００にブロードキャストする。ＭＣＥ  (Ｍｕｌｔｉ−ｃｅｌｌ  Ｃｏｏｒｄｉｎａｔｉｏｎ  Ｅｎｔｉｔｙ)３３０は、同一ＭＢＳＦＮエリア内の各ｅＮＢ２００により使用される無線リソースを制御したり、ＭＢＳＦＮサブフレームを設定したりする。第１実施形態において、ＭＣＥ３３０は、ＭＢＭＳ制御装置に相当する。
【００６１】
また、ＭＢＭＳサービスに対する需要状況をネットワークで把握可能とするために、ＭＢＭＳサービスを受信している又は受信に興味のあるＵＥ１００を計数するためのＭＢＭＳ計数手順（ＭＢＭＳ  Ｃｏｕｎｔｉｎｇ  ｐｒｏｃｅｄｕｒｅ）が導入されている（非特許文献１参照）。
【００６２】
上述したように、ＭＢＭＳ計数手順では、ＭＢＭＳ計数要求（ＭＢＭＳ  Ｃｏｕｎｔｉｎｇ  ｒｅｑｕｅｓｔ）の受信に応じて、ＲＲＣ接続状態のＵＥ１００（以下「ＲＲＣ接続ＵＥ」という）は、ＭＢＭＳ計数応答（ＭＢＭＳ  Ｃｏｕｎｔｉｎｇ  ｒｅｓｐｏｎｓｅ）をネットワークに送信する。
【００６３】
現在の仕様では、ＭＢＭＳ計数手順は、ＲＲＣ接続ＵＥに対して適用されるものの、ＲＲＣアイドルＵＥに対して適用されないため、ＭＢＭＳサービスに対する需要状況をネットワークで十分に把握できない。
【００６４】
（３）第１実施形態に係るＭＢＭＳ制御方法
以下において、第１実施形態に係るＭＢＭＳ制御方法について説明する。第１実施形態に係るＭＢＭＳ制御方法は、ＭＢＭＳサービスに対する需要状況をネットワークで十分に把握可能とする。
【００６５】
第１実施形態に係るＭＢＭＳ制御方法は、ネットワークからマルチキャスト又はブロードキャストで提供されるＭＢＭＳサービスに対する需要状況をネットワークで把握するための方法である。ＭＢＭＳ制御方法は、ネットワークに含まれるｅＮＢ２００が、ＲＲＣアイドルＵＥが受信可能な所定信号により、ＭＢＭＳサービスを受信している又は受信に興味のあるＵＥ１００を計数するためのＭＢＭＳ計数要求を送信するステップと、ＭＢＭＳ受信をサポートするＭＢＭＳ対応ＵＥ１００が、ＲＲＣアイドル状態において、所定信号により送信されたＭＢＭＳ計数要求を受信するステップと、ＭＢＭＳ対応ＵＥ１００が、受信したＭＢＭＳ計数要求に基づいて、ＲＲＣアイドル状態において、ＭＢＭＳ計数応答を送信するための所定の動作を行うステップと、を有する。
【００６６】
これにより、ＭＢＭＳ計数手順をＲＲＣ接続ＵＥに対して適用するだけでなく、ＭＢＭＳ計数手順をＲＲＣアイドルＵＥに対しても適用できるため、ＭＢＭＳサービスに対する需要状況をネットワークで十分に把握可能とすることができる。
【００６７】
第１実施形態では、所定信号は、ブロードキャスト信号である。以下では、ブロードキャスト信号として、システム情報の一種であるシステム情報ブロック（ＳＩＢ）を例示する。ＳＩＢは、ＲＲＣ接続端末及びＲＲＣアイドル端末の何れも受信できる共通ＲＲＣメッセージである。或いは、ブロードキャスト信号に代えて、マルチキャスト信号を使用してもよい。
【００６８】
第１実施形態では、ネットワークに含まれるＭＣＥ３３０は、ＭＢＭＳ計数要求の送信をｅＮＢ２００に要求する。ｅＮＢ２００は、ＭＣＥ３３０からの要求に応じて、ＭＢＭＳ計数要求を送信する。
【００６９】
第１実施形態では、前記所定の動作を行うステップは、ＭＢＭＳ計数要求を受信したＭＢＭＳ対応ＵＥ１００が、ＲＲＣ接続状態に遷移するまで、ＭＢＭＳ計数応答の送信を保留するステップを含む。ＭＢＭＳ対応ＵＥ１００は、ＲＲＣ接続状態に遷移した後、ＭＢＭＳ計数応答をネットワークに送信する。
【００７０】
すなわち、第１実施形態では、ＭＢＭＳ計数要求を受信したＭＢＭＳ対応ＵＥ１００は、ＭＢＭＳ計数応答の送信のみを目的としてＲＲＣ接続状態に遷移するのではなく、他の目的（発信又は着信など）を目的としてＲＲＣ接続状態に遷移した際にＭＢＭＳ計数応答をネットワークに送信する。これにより、状態遷移に伴うシグナリングの増大及び処理負荷の増大を抑制できる。
【００７１】
第１実施形態では、ＭＢＭＳ計数要求は、該ＭＢＭＳ計数要求のメッセージ有効期間を示す情報を含む。ＭＢＭＳ計数要求を受信したＭＢＭＳ対応ＵＥ１００は、ＲＲＣ接続状態に遷移する前にメッセージ有効期間が満了した場合に、ＭＢＭＳ計数応答の送信を中止する。
【００７２】
これにより、ＭＢＭＳ計数要求を受信してから長時間に亘ってＲＲＣ接続状態に遷移しないＭＢＭＳ対応ＵＥ１００については、ＭＢＭＳ計数応答を送信せずに破棄することにより、ＵＥ１００のメモリ容量を節約できる。
【００７３】
第１実施形態では、ＭＢＭＳ計数要求は、該ＭＢＭＳ計数要求のメッセージ識別子を含む。ＭＢＭＳ計数応答を送信するステップにおいて、ＭＢＭＳ対応ＵＥ１００は、メッセージ識別子を含むＭＢＭＳ計数応答をネットワークに送信する。
【００７４】
これにより、ＭＢＭＳ対応ＵＥ１００が複数のＭＢＭＳ計数要求を受信する場合でも、メッセージ識別子により、どのＭＢＭＳ計数要求に対応するＭＢＭＳ計数応答であるかをネットワークで把握できる。
【００７５】
（４）第１実施形態に係る動作シーケンス
以下において、第１実施形態に係る動作シーケンスについて説明する。図８は、第１実施形態に係る動作シーケンスを示す図である。図８の初期状態において、ＭＢＭＳ対応ＵＥ１００はＲＲＣアイドル状態（Ｉｄｌｅ  ｍｏｄｅ）である。
【００７６】
図８に示すように、ステップＳ１０１において、ＭＣＥ３３０は、ＭＢＭＳ計数の要求（ｅｎｈａｎｃｅｄ  Ｃｏｕｎｔｉｎｇ  Ｒｅｑｕｅｓｔ）をｅＮＢ２００に送信する。ＭＢＭＳ計数の要求は、計数対象のＭＢＭＳサービスのＩＤ（ＴＭＧＩ：Ｔｅｍｐｏｒａｒｙ  Ｍｏｂｉｌｅ  Ｇｒｏｕｐ  Ｉｄｅｎｔｉｔｙ）のリストであるＣｏｕｎｔｉｎｇ  Ｒｅｑｕｅｓｔ  Ｌｉｓｔ、メッセージ有効期間、及びメッセージ識別子（メッセージＩＤ）を含む。メッセージ有効期間は、例えばサブフレーム単位又は無線フレーム（ＳＦＮ）単位で指定できる。
【００７７】
ステップＳ１０２において、ｅＮＢ２００は、ＭＣＥ３３０からの要求に応じて、ＳＩＢにより、ＭＢＭＳ計数要求（ｅｎｈａｎｃｅｄ  Ｃｏｕｎｔｉｎｇ  Ｒｅｑｕｅｓｔ  Ｍｅｓｓａｇｅ）を送信する。ＭＢＭＳ計数要求は、上述したＣｏｕｎｔｉｎｇ  Ｒｅｑｕｅｓｔ  Ｌｉｓｔ、メッセージ有効期間、及びメッセージＩＤを含む。当該ＭＢＭＳ計数要求を受信したＭＢＭＳ対応ＵＥ１００は、メッセージ有効期間を計時するためのタイマを起動する。また、ＭＢＭＳ計数要求を送信したｅＮＢ２００は、メッセージ有効期間を計時するためのタイマを起動してもよい。
【００７８】
なお、ＭＢＭＳ計数要求を受信したＭＢＭＳ対応ＵＥ１００は、ＲＲＣアイドル状態において、ＭＢＭＳ計数要求の受信時の第１のＭＢＳＦＮエリアとは異なる第２のＭＢＳＦＮエリアに移動した場合に、以下の何れかの動作を行う。
【００７９】
・ＭＢＭＳ計数要求の設定及びＭＢＭＳ計数応答を破棄する。
【００８０】
・ＭＢＭＳ計数要求の設定及びＭＢＭＳ計数応答を破棄せずに保持する。
【００８１】
・第１のＭＢＳＦＮエリア及び第２のＭＢＳＦＮエリアが同一のＭＣＥ３３０の管理下である場合に限り、ＭＢＭＳ計数要求の設定及びＭＢＭＳ計数応答を破棄せずに保持する。
【００８２】
ステップＳ１０３において、ＭＢＭＳ対応ＵＥ１００は、例えば発信又は着信などに応じて、ネットワークに対するランダムアクセス手順を行う。ここで、ＭＢＭＳ対応ＵＥ１００は、ＭＢＭＳ計数要求を送信したｅＮＢ２００とは異なるｅＮＢ２００に対してランダムアクセス手順を行ってもよい。図８では、競合ベースのランダムアクセス手順を例示している。ＭＢＭＳ対応ＵＥ１００は、ランダムアクセス手順により、ＲＲＣ接続状態（Ｃｏｎｎｅｃｔｅｄ  ｍｏｄｅ）に遷移する。
【００８３】
ステップＳ１０４において、ＭＢＭＳ対応ＵＥ１００は、ＲＲＣ接続状態に遷移したことに応じて、ＭＢＭＳ計数応答（ｅｎｈａｎｃｅｄ  Ｃｏｕｎｔｉｎｇ  Ｒｅｓｐｏｎｓｅ  Ｍｅｓｓａｇｅ）をｅＮＢ２００に送信する。ＭＢＭＳ計数応答は、Ｃｏｕｎｔｉｎｇ  Ｒｅｑｕｅｓｔ  Ｌｉｓｔに対応するＣｏｕｎｔｉｎｇ  Ｒｅｓｐｏｎｓｅ  Ｌｉｓｔ、ＭＢＳＦＮエリアの識別子（Ｍｂｓｆｎ  Ａｒｅａ  Ｉｎｄｅｘ）、及びメッセージＩＤを含む。
【００８４】
ステップＳ１０５において、ＭＢＭＳ計数応答を受信したｅＮＢ２００は、受信したＭＢＭＳ計数応答を、メッセージ有効期間が満了するまで保持する。或いは、ＭＢＭＳ計数応答を受信したｅＮＢ２００は、メッセージ有効期間を考慮せずに、受信したＭＢＭＳ計数応答をＭＣＥ３３０に転送してもよい。
【００８５】
なお、ｅＮＢ２００は、自ｅＮＢ２００が属する第１のＭＢＳＦＮエリアとは異なる第２のＭＢＳＦＮエリアに対応するＭＢＭＳ計数応答を受信した場合に、受信したＭＢＭＳ計数応答を、第２のＭＢＳＦＮエリアに属する他ｅＮＢ２００に転送する、又はＭＣＥ３３０に転送する。
【００８６】
ステップＳ１０６において、ｅＮＢ２００は、ＭＢＭＳ計数応答を集計し、ＭＢＭＳ計数報告（ｅｎｈａｎｃｅｄ  Ｃｏｕｎｔｉｎｇ  Ｒｅｐｏｒｔ）をＭＣＥ３３０に送信する。ＭＢＭＳ計数報告は、Ｃｏｕｎｔｉｎｇ  Ｒｅｓｐｏｎｓｅ  Ｌｉｓｔを含む。
【００８７】
［第２実施形態］
第２実施形態について、第１実施形態との相違点を主として説明する。第２実施形態は、システム構成については第１実施形態と同様である。
【００８８】
（１）第２実施形態に係るＭＢＭＳ制御方法
以下において、第２実施形態に係るＭＢＭＳ制御方法について説明する。
【００８９】
第２実施形態に係るＭＢＭＳ制御方法は、ＭＢＭＳ計数要求を受信したＭＢＭＳ対応ＵＥ１００が、所定の条件を満たす場合に、ネットワークに対するランダムアクセス手順を行うステップと、ランダムアクセス手順によりＲＲＣ接続状態に遷移したＭＢＭＳ対応ＵＥ１００が、ＭＢＭＳ計数応答をネットワークに送信するステップと、を有する。
【００９０】
すなわち、第２実施形態では、ＭＢＭＳ計数要求を受信したＭＢＭＳ対応ＵＥ１００（ＲＲＣアイドルＵＥ）は、所定の条件を満たす場合に、ネットワークに対するランダムアクセス手順を直ちに（強制的に）行う。
【００９１】
ここで、ランダムアクセス手順を行う条件（所定の条件）を定めているのは、次の理由による。具体的には、ＭＢＭＳ計数要求を受信した全てのＭＢＭＳ対応ＵＥ１００（ＲＲＣアイドルＵＥ）が一斉に競合ベースのランダムアクセス手順を行うと、ランダムアクセスプリアンブルの衝突が生じ、ランダムアクセス失敗が頻発することが想定される。或いは、ＭＢＭＳ計数要求を受信した全てのＭＢＭＳ対応ＵＥ１００（ＲＲＣアイドルＵＥ）が一斉に非競合ベースのランダムアクセス手順を行うと、非競合ランダムアクセスプリアンブルが足りなくなることが想定される。よって、ランダムアクセス手順を行う条件（所定の条件）を定めることにより、上述した問題を解決できる。
【００９２】
第２実施形態では、ＭＢＭＳ計数要求は、ＭＢＭＳサービス識別子を含む。具体的には、ＭＢＭＳ計数要求は、計数対象のＭＢＭＳサービスのＩＤ（ＴＭＧＩ）のリストであるＣｏｕｎｔｉｎｇ  Ｒｅｑｕｅｓｔ  Ｌｉｓｔを含む。所定の条件は、ＭＢＭＳサービス識別子が示すＭＢＭＳサービスを受信している又は受信に興味があるという条件である。
【００９３】
このように、ＭＢＭＳ対応ＵＥ１００（ＲＲＣアイドルＵＥ）は、ＭＢＭＳ計数要求に含まれるＭＢＭＳサービス識別子が示すＭＢＭＳサービスを受信している又は受信に興味がある場合に限り、ＲＲＣ接続状態に遷移して、ＭＢＭＳ計数応答をネットワークに送信する。よって、ランダムアクセス手順を行うＭＢＭＳ対応ＵＥ１００（ＲＲＣアイドルＵＥ）を適切に絞り込むことができるため、上述した問題を解決できる。
【００９４】
（２）第２実施形態に係る動作シーケンス
以下において、第２実施形態に係る動作シーケンスについて説明する。図９は、第２実施形態に係る動作シーケンスを示す図である。なお、ｅＮＢ２００とＭＣＥ３３０との間のシグナリングについては、第１実施形態と同様である。また、図９の初期状態において、ＭＢＭＳ対応ＵＥ１００はＲＲＣアイドル状態（Ｉｄｌｅ  ｍｏｄｅ）である。
【００９５】
図９に示すように、ステップＳ２０１において、ｅＮＢ２００は、ＭＣＥ３３０からの要求に応じて、ＳＩＢにより、ＭＢＭＳ計数要求（ｅｎｈａｎｃｅｄ  Ｃｏｕｎｔｉｎｇ  Ｒｅｑｕｅｓｔ  Ｍｅｓｓａｇｅ）を送信する。ＭＢＭＳ計数要求は、上述したＣｏｕｎｔｉｎｇ  Ｒｅｑｕｅｓｔ  Ｌｉｓｔを含む。
【００９６】
ＭＢＭＳ計数要求を受信したＭＢＭＳ対応ＵＥ１００は、ＭＢＭＳ計数要求に含まれるＣｏｕｎｔｉｎｇ  Ｒｅｑｕｅｓｔ  Ｌｉｓｔ中のＭＢＭＳサービスを受信している又は受信に興味があるか否かを確認する。当該ＭＢＭＳサービスを受信している又は受信に興味がある場合、ＭＢＭＳ対応ＵＥ１００は、ネットワークに対するランダムアクセス手順を行うと判断する。
【００９７】
ステップＳ２０２において、ＭＢＭＳ対応ＵＥ１００は、ネットワークに対するランダムアクセス手順を行う。図９では、競合ベースのランダムアクセス手順を例示している。ＭＢＭＳ対応ＵＥ１００は、ランダムアクセス手順により、ＲＲＣ接続状態（Ｃｏｎｎｅｃｔｅｄ  ｍｏｄｅ）に遷移する。
【００９８】
ステップＳ２０３において、ＭＢＭＳ対応ＵＥ１００は、ＲＲＣ接続状態に遷移したことに応じて、ＭＢＭＳ計数応答（ｅｎｈａｎｃｅｄ  Ｃｏｕｎｔｉｎｇ  Ｒｅｓｐｏｎｓｅ  Ｍｅｓｓａｇｅ）をｅＮＢ２００に送信する。ＭＢＭＳ計数応答は、Ｃｏｕｎｔｉｎｇ  Ｒｅｑｕｅｓｔ  Ｌｉｓｔに対応するＣｏｕｎｔｉｎｇ  Ｒｅｓｐｏｎｓｅ  Ｌｉｓｔ、及びＭＢＳＦＮエリアの識別子（Ｍｂｓｆｎ  Ａｒｅａ  Ｉｎｄｅｘ）を含む。
【００９９】
［第３実施形態］
第３実施形態について、第１実施形態及び第２実施形態との相違点を主として説明する。第３実施形態は、システム構成については第１実施形態と同様である。
【０１００】
（１）第３実施形態に係るＭＢＭＳ制御方法
以下において、第３実施形態に係るＭＢＭＳ制御方法について説明する。
【０１０１】
第３実施形態は、ＭＢＭＳ計数要求を受信したＭＢＭＳ対応ＵＥ１００が、所定の条件を満たす場合に、ネットワークに対するランダムアクセス手順を直ちに（強制的に）行う点については、第２実施形態と同じである。但し、第３実施形態は、ページング信号を利用し、ランダムアクセス手順を行うＭＢＭＳ対応ＵＥ１００を限定する点で、第２実施形態とは異なる。
【０１０２】
第３実施形態の動作パターン１では、ランダムアクセス手順を行う条件（所定の条件）は、ＭＢＭＳ計数要求とは別に、ＭＢＭＳ対応ＵＥ１００宛てのページング信号を受信したという条件である。すなわち、動作パターン１では、ＳＩＢによるＭＢＭＳ計数要求とページング信号とを併用することにより、ランダムアクセス手順を行うＭＢＭＳ対応ＵＥ１００を限定する。
【０１０３】
第３実施形態の動作パターン２では、ＲＲＣアイドルＵＥが受信可能な所定信号は、ＭＢＭＳ対応ＵＥ１００宛てのページング信号である。ｅＮＢ２００は、ページング信号によりＭＢＭＳ計数要求を送信する。ページング信号により送信されたＭＢＭＳ計数要求を受信したＭＢＭＳ対応ＵＥ１００は、ＲＲＣ接続状態に遷移した上で、ＭＢＭＳ計数応答をネットワークに送信する。このように、動作パターン２では、ＭＢＭＳ計数要求をＳＩＢにより送信することに代えて、ＭＢＭＳ計数要求をページング信号により送信することにより、ランダムアクセス手順を行うＭＢＭＳ対応ＵＥ１００を限定する。
【０１０４】
第３実施形態に係るＭＢＭＳ制御方法は、ページング信号を送信するｅＮＢ２００が、自ｅＮＢ２００へのＵＥ１００のハンドオーバの状況、自ｅＮＢ２００が保有する非競合ランダムアクセスプリアンブルの空き状況、の少なくとも１つに基づいて、ページング信号の送信先を決定するステップを有する。
【０１０５】
上述したように、非競合ベースのランダムアクセス手順を想定した場合に、ｅＮＢ２００が保有する非競合ランダムアクセスプリアンブルの空きが少ない状況（例えば、ｅＮＢ２００にハンドオーバするＵＥ１００が多い状況）では、非競合ランダムアクセスプリアンブルが足りなくなると考えられる。よって、自ｅＮＢ２００へのＵＥ１００のハンドオーバの状況、自ｅＮＢ２００が保有する非競合ランダムアクセスプリアンブルの空き状況、の少なくとも１つに基づいて、ページング信号の送信先を決定することにより、上述した問題を解決できる。
【０１０６】
（２）第３実施形態に係る動作シーケンス
以下において、第３実施形態に係る動作シーケンスについて説明する。図１０は、第３実施形態に係る動作シーケンスを示す図である。ここでは、上述した動作パターン２を想定する。なお、ｅＮＢ２００とＭＣＥ３３０との間のシグナリングについては、第１実施形態及び第２実施形態と同様である。また、図１０の初期状態において、ＭＢＭＳ対応ＵＥ１００はＲＲＣアイドル状態（Ｉｄｌｅ  ｍｏｄｅ）である。
【０１０７】
図１０に示すように、ステップＳ３０１において、ＭＭＥ３００は、ｅＮＢ２００が属するトラッキングエリアに在圏するＲＲＣアイドルＵＥのリストであるアイドルＵＥリストをｅＮＢ２００に送信する。なお、ＭＣＥ３３０がＭＭＥ３００からアイドルＵＥリストを取得し、取得したアイドルＵＥリストをｅＮＢ２００に転送してもよい。
【０１０８】
ステップＳ３０２において、アイドルＵＥリストを受信したｅＮＢ２００は、自ｅＮＢ２００へのＵＥ１００のハンドオーバの状況（平均ハンドオーバ数など）、自ｅＮＢ２００が保有する非競合ランダムアクセスプリアンブルの空き状況、の少なくとも１つに基づいて、アイドルＵＥリストの中から、ページング信号の送信先ＵＥを決定する。なお、非競合ランダムアクセスプリアンブルの空きが少ない場合には、ページング信号を時分割で送信するよう制御してもよい。
【０１０９】
ステップＳ３０３において、ｅＮＢ２００は、決定した送信先ＵＥ宛てのページング信号により、ＭＢＭＳ計数要求（ｅｎｈａｎｃｅｄ  Ｃｏｕｎｔｉｎｇ  Ｒｅｑｕｅｓｔ  Ｍｅｓｓａｇｅ）を送信する。ＭＢＭＳ計数要求は、上述したＣｏｕｎｔｉｎｇ  Ｒｅｑｕｅｓｔ  Ｌｉｓｔを含む。
【０１１０】
ステップＳ３０４において、ページング信号（ＭＢＭＳ計数要求）を受信したＭＢＭＳ対応ＵＥ１００は、ネットワークに対するランダムアクセス手順を含むアタッチ手順を行う。ＭＢＭＳ対応ＵＥ１００は、ランダムアクセス手順により、ＲＲＣ接続状態（Ｃｏｎｎｅｃｔｅｄ  ｍｏｄｅ）に遷移する。
【０１１１】
ステップＳ３０５において、ＭＢＭＳ対応ＵＥ１００は、ＲＲＣ接続状態に遷移したことに応じて、ＭＢＭＳ計数応答（ｅｎｈａｎｃｅｄ  Ｃｏｕｎｔｉｎｇ  Ｒｅｓｐｏｎｓｅ  Ｍｅｓｓａｇｅ）をｅＮＢ２００に送信する。ＭＢＭＳ計数応答は、Ｃｏｕｎｔｉｎｇ  Ｒｅｑｕｅｓｔ  Ｌｉｓｔに対応するＣｏｕｎｔｉｎｇ  Ｒｅｓｐｏｎｓｅ  Ｌｉｓｔ、及びＭＢＳＦＮエリアの識別子（Ｍｂｓｆｎ  Ａｒｅａ  Ｉｎｄｅｘ）を含む。
【０１１２】
なお、ステップＳ３０３乃至Ｓ３０５は、次のように変更してもよい。具体的には、ステップＳ３０３において、ｅＮＢ２００は、通常のページング信号をＭＢＭＳ対応ＵＥ１００に送信する。ステップＳ３０４において、ＭＢＭＳ対応ＵＥ１００がＲＲＣ接続を確立した後、ＮＡＳの認証処理を省略し（アタッチせずに）、ｅＮＢ２００からＭＢＭＳ計数要求をＭＢＭＳ対応ＵＥ１００に送信する。ＭＢＭＳ計数要求を受信したＭＢＭＳ対応ＵＥ１００は、ＭＢＭＳ計数応答をｅＮＢ２００に送信する。ＭＢＭＳ計数応答を受信したｅＮＢ２００は、ＭＢＭＳ対応ＵＥ１００とのＲＲＣ接続を解放する。
【０１１３】
［第４実施形態］
第４実施形態について、第１実施形態乃至第３実施形態との相違点を主として説明する。第４実施形態は、システム構成については第１実施形態と同様である。
【０１１４】
（１）第４実施形態に係るＭＢＭＳ制御方法
以下において、第４実施形態に係るＭＢＭＳ制御方法について説明する。
【０１１５】
第４実施形態では、ランダムアクセス手順の競合を回避する点で第２実施形態及び第３実施形態と同様であるが、ランダムアクセス手順を行うＭＢＭＳ対応ＵＥ１００を限定するのではなく、ランダムアクセス手順を行うタイミングをずらすよう制御する点で第２実施形態及び第３実施形態とは異なる。
【０１１６】
第４実施形態に係るＭＢＭＳ制御方法は、ＭＢＭＳ計数要求を受信したＭＢＭＳ対応ＵＥ１００が、ネットワークに対するランダムアクセス手順を行うステップと、ランダムアクセス手順によりＲＲＣ接続状態に遷移したＭＢＭＳ対応ＵＥ１００が、ＭＢＭＳ計数応答をネットワークに送信するステップと、を有する。ＭＢＭＳ計数要求は、ランダムアクセス手順におけるランダムアクセスプリアンブル送信のタイミングを制御するための制御情報を含む。
【０１１７】
第４実施形態では、制御情報は、ランダムアクセスプリアンブル送信の基準時間間隔（コンテンションウィンドウサイズ）及び最大時間間隔（最大コンテンションウィンドウサイズ）を含む。ＭＢＭＳ対応ＵＥ１００は、基準時間間隔（コンテンションウィンドウサイズ）と乱数とに基づいて、最大時間間隔（最大コンテンションウィンドウサイズ）を超えない範囲で、ランダムアクセスプリアンブル送信のタイミングを決定する。
【０１１８】
例えば、ＭＢＭＳ対応ＵＥ１００は、以下の計算式により、接続試行オフセットを算出する。接続試行オフセットとは、ランダムアクセスプリアンブルの初回送信タイミングまでの時間、及びランダムアクセスプリアンブル衝突による再送タイミングまでの時間を規定するものである。
【０１１９】
接続試行オフセット［ｍｓ］=２^衝突回数*コンテンションウィンドウサイズ*一様乱数≦最大コンテンションウィンドウサイズ
【０１２０】
（２）第４実施形態に係る動作シーケンス
以下において、第４実施形態に係る動作シーケンスについて説明する。図１１は、第４実施形態に係る動作シーケンスを示す図である。なお、ｅＮＢ２００とＭＣＥ３３０との間のシグナリングについては、第１実施形態乃至第３実施形態と同様である。また、図１１の初期状態において、ＭＢＭＳ対応ＵＥ１００はＲＲＣアイドル状態（Ｉｄｌｅ  ｍｏｄｅ）である。
【０１２１】
図１１に示すように、ステップＳ４０１において、ｅＮＢ２００は、ＭＣＥ３３０からの要求に応じて、ＳＩＢにより、ＭＢＭＳ計数要求（ｅｎｈａｎｃｅｄ  Ｃｏｕｎｔｉｎｇ  Ｒｅｑｕｅｓｔ  Ｍｅｓｓａｇｅ）を送信する。ＭＢＭＳ計数要求は、上述したＣｏｕｎｔｉｎｇ  Ｒｅｑｕｅｓｔ  Ｌｉｓｔ及びメッセージＩＤを含む。
【０１２２】
第４実施形態では、ＭＢＭＳ計数要求は、以下の情報をさらに含む。
【０１２３】
・コンテンションウィンドウサイズ（ｓｕｂｆｒａｍｅ／ＳＦＮ単位）:接続試行オフセット算出用
・最大コンテンションウィンドウサイズ（ｓｕｂｆｒａｍｅ／ＳＦＮ単位）:最大値
・最大衝突回数［回数］:この値をこえたらExpire（ランダムアクセス試行を中止する）
【０１２４】
なお、コンテンションウィドウサイズ、最大コンテンションウィンドウサイズ、最大衝突回数は、ｅＮＢ２００のセル又はトラッキングエリアに在圏するＵＥ１００の数などに基づいて決定されてもよい。
【０１２５】
ＭＢＭＳ計数要求を受信したＵＥ１００は、上述した計算式により接続試行オフセットを算出し、接続試行オフセットを計時するためのタイマを起動する。
【０１２６】
ステップＳ４０２において、ＭＢＭＳ対応ＵＥ１００は、タイマの満了に応じて、ネットワークに対するランダムアクセス手順を行う。図１１では、競合ベースのランダムアクセス手順を例示している。ＭＢＭＳ対応ＵＥ１００は、ランダムアクセス手順により、ＲＲＣ接続状態（Ｃｏｎｎｅｃｔｅｄ  ｍｏｄｅ）に遷移する。
【０１２７】
ステップＳ４０３において、ＭＢＭＳ対応ＵＥ１００は、ＲＲＣ接続状態に遷移したことに応じて、ＭＢＭＳ計数応答（ｅｎｈａｎｃｅｄ  Ｃｏｕｎｔｉｎｇ  Ｒｅｓｐｏｎｓｅ  Ｍｅｓｓａｇｅ）をｅＮＢ２００に送信する。ＭＢＭＳ計数応答は、Ｃｏｕｎｔｉｎｇ  Ｒｅｑｕｅｓｔ  Ｌｉｓｔに対応するＣｏｕｎｔｉｎｇ  Ｒｅｓｐｏｎｓｅ  Ｌｉｓｔ、ＭＢＳＦＮエリアの識別子（Ｍｂｓｆｎ  Ａｒｅａ  Ｉｎｄｅｘ）、及びメッセージＩＤを含む。
【０１２８】
［第５実施形態］
第５実施形態について、第１実施形態乃至第４実施形態との相違点を主として説明する。第５実施形態は、システム構成については第１実施形態と同様である。
【０１２９】
（１）第５実施形態に係るＭＢＭＳ制御方法
以下において、第５実施形態に係るＭＢＭＳ制御方法について説明する。図１２は、第５実施形態に係るＭＢＭＳ制御方法を示す図である。
【０１３０】
第５実施形態では、ＭＢＭＳ対応ＵＥ１００−１は、直接的なＵＥ間通信であるＤ２Ｄ通信をさらにサポートしている。図１２に示すように、ＭＢＭＳ制御方法は、ＭＢＭＳ計数要求を受信したＭＢＭＳ対応ＵＥ１００−１が、ＲＲＣアイドル状態において、Ｄ２Ｄ信号によりＭＢＭＳ計数応答（Ｃｏｕｎｔｉｎｇ情報）を送信するステップを有する。Ｄ２Ｄ信号は、近傍ＵＥの発見に使用されるＤ２Ｄ発見用信号（Ｄｉｓｃｏｖｅｒｙ信号）である。或いは、Ｄ２Ｄ信号は、ＵＥ間同期の確立に使用されるＤ２Ｄ同期信号である。
【０１３１】
図１２（ａ）に示すように、第５実施形態に係るＭＢＭＳ制御方法は、ＲＲＣ接続ＵＥ１００−２が、Ｄ２Ｄ信号により送信されたＭＢＭＳ計数応答を受信するステップと、ＲＲＣ接続ＵＥ１００−２が、受信したＭＢＭＳ計数応答をネットワーク（ｅＮＢ２００）に転送するステップと、を有する。転送するステップにおいて、ＲＲＣ接続ＵＥ１００−２が、受信したＭＢＭＳ計数応答を、ＭＢＭＳ対応ＵＥ１００−１の識別子と共にネットワークに転送する。
【０１３２】
このように、第５実施形態では、ＭＢＭＳ計数応答（Ｃｏｕｎｔｉｎｇ情報）をＲＲＣ接続ＵＥ１００−２がネットワークに中継する。よって、ＭＢＭＳ対応ＵＥ１００−１がＲＲＣアイドル状態を維持したまま、ＭＢＭＳ計数応答をネットワークに伝達できる。
【０１３３】
或いは、図１２（ｂ）に示すように、第５実施形態に係るＭＢＭＳ制御方法は、ネットワーク（ｅＮＢ２００）が、Ｄ２Ｄ信号により送信されたＭＢＭＳ計数応答を（直接的に）受信するステップを有する。
【０１３４】
このように、Ｄ２Ｄ信号（ＭＢＭＳ計数応答）をＲＲＣ接続ＵＥ１００−２がネットワークに中継するのではなく、ネットワークが直接的にＤ２Ｄ信号（ＭＢＭＳ計数応答）を受信してもよい。よって、ＭＢＭＳ対応ＵＥ１００−１がＲＲＣアイドル状態を維持したまま、ＭＢＭＳ計数応答をネットワークに伝達できる。
【０１３５】
以下においては、Ｄ２Ｄ信号がＤｉｓｃｏｖｅｒｙ信号であるケースを例示する。図１３は、Ｄｉｓｃｏｖｅｒｙ信号の送信方法を示す図である。図１３に示すように、Ｄｉｓｃｏｖｅｒｙ信号は、一定の周波数リソースを使用して周期的に送信される。ＭＢＭＳ計数要求を受信したＭＢＭＳ対応ＵＥ１００−１は、ＲＲＣアイドル状態において、ＭＢＭＳ計数応答（Ｃｏｕｎｔｉｎｇ情報）をＤｉｓｃｏｖｅｒｙ信号に含めて送信する。
【０１３６】
（２）第５実施形態に係る動作シーケンス
以下において、第５実施形態に係る動作シーケンスについて説明する。図１４は、第５実施形態に係る動作シーケンスを示す図である。図１４の初期状態において、ＭＢＭＳ対応ＵＥ１００−１はＲＲＣアイドル状態（Ｉｄｌｅ  ｍｏｄｅ）である。
【０１３７】
図１４に示すように、ステップＳ５０１において、ＭＣＥ３３０は、ＭＢＭＳ計数の要求（ｅｎｈａｎｃｅｄ  Ｃｏｕｎｔｉｎｇ  Ｒｅｑｕｅｓｔ）をｅＮＢ２００に送信する。ＭＢＭＳ計数の要求は、第１実施形態と同様に、Ｃｏｕｎｔｉｎｇ  Ｒｅｑｕｅｓｔ  Ｌｉｓｔ、メッセージ有効期間、及びメッセージＩＤを含む。
【０１３８】
ステップＳ５０２において、ｅＮＢ２００は、ＭＣＥ３３０からの要求に応じて、ＳＩＢにより、ＭＢＭＳ計数要求（ｅｎｈａｎｃｅｄ  Ｃｏｕｎｔｉｎｇ  Ｒｅｑｕｅｓｔ  Ｍｅｓｓａｇｅ）を送信する。ＭＢＭＳ計数要求は、Ｃｏｕｎｔｉｎｇ  Ｒｅｑｕｅｓｔ  Ｌｉｓｔ、メッセージ有効期間、及びメッセージＩＤを含む。第５実施形態では、ＭＢＭＳ計数要求は、ＭＢＭＳ計数応答（Ｃｏｕｎｔｉｎｇ情報）をＤｉｓｃｏｖｅｒｙ信号に含める頻度（例えば、毎回、又は、Ｘ回に１回など）を指定する情報を含んでもよい。
【０１３９】
当該ＭＢＭＳ計数要求を受信したＭＢＭＳ対応ＵＥ１００−１は、メッセージ有効期間を計時するためのタイマを起動する。また、ＭＢＭＳ計数要求を送信したｅＮＢ２００は、メッセージ有効期間を計時するためのタイマを起動してもよい。
【０１４０】
ステップＳ５０３において、ＭＢＭＳ対応ＵＥ１００−１は、ＭＢＭＳ計数応答（Ｃｏｕｎｔｉｎｇ情報）をＤｉｓｃｏｖｅｒｙ信号に含めて送信する。ＲＲＣ接続ＵＥ１００−２及び／又はｅＮＢ２００は、Ｄｉｓｃｏｖｅｒｙ信号を受信する。Ｄｉｓｃｏｖｅｒｙ信号の構成例については後述する。
【０１４１】
ステップＳ５０４において、ＭＢＭＳ計数応答（Ｃｏｕｎｔｉｎｇ情報）を含むＤｉｓｃｏｖｅｒｙ信号を受信したＲＲＣ接続ＵＥ１００−２は、受信したＭＢＭＳ計数応答を、メッセージ有効期間が満了するまで保持し、ＭＢＭＳ計数応答を集計する。
【０１４２】
ステップＳ５０５において、ＭＢＭＳ計数応答（Ｃｏｕｎｔｉｎｇ情報）を含むＤｉｓｃｏｖｅｒｙ信号を受信したｅＮＢ２００は、受信したＭＢＭＳ計数応答を、メッセージ有効期間が満了するまで保持し、ＭＢＭＳ計数応答を集計する。
【０１４３】
ステップＳ５０６において、ＲＲＣ接続ＵＥ１００−２は、集計後のＭＢＭＳ計数応答をｅＮＢ２００に送信する。
【０１４４】
ステップＳ５０７において、ｅＮＢ２００は、ＭＢＭＳ計数応答の重複を解消するための処理を行う。当該処理の詳細については後述する。
【０１４５】
ステップＳ５０８において、ｅＮＢ２００は、ＭＢＭＳ計数報告（ｅｎｈａｎｃｅｄ  Ｃｏｕｎｔｉｎｇ  Ｒｅｐｏｒｔ）をＭＣＥ３３０に送信する。ＭＢＭＳ計数報告は、Ｃｏｕｎｔｉｎｇ  Ｒｅｓｐｏｎｓｅ  Ｌｉｓｔを含む。
【０１４６】
図１５は、Ｄｉｓｃｏｖｅｒｙ信号の構成例を示す図である。
【０１４７】
図１５（ａ）に示すように、Ｄｉｓｃｏｖｅｒｙ信号は、通常のＤｉｓｃｏｖｅｒｙ信号に含まれる情報（送信元ＵＥ識別子など）に加えて、ＭＢＳＦＮ  ａｒｅａ  Ｉｎｄｅｘ、メッセージＩＤ、及びＣｏｕｎｔｉｎｇ  Ｒｅｓｐｏｎｓｅ  Ｌｉｓｔを含む。
【０１４８】
或いは、図１５（ｂ）に示すように、図１５（ａ）に示すＣｏｕｎｔｉｎｇ  Ｒｅｓｐｏｎｓｅ  Ｌｉｓｔに代えて、特定のＭＢＭＳサービスについてのみ興味がある／なし（０／１）の情報を使用してもよい。この場合、ＭＢＭＳ計数要求において当該特定のＭＢＭＳサービスを指定する必要がある。
【０１４９】
或いは、図１５（ｃ）に示すように、図１５（ａ）に示すＣｏｕｎｔｉｎｇ  Ｒｅｓｐｏｎｓｅ  Ｌｉｓｔに代えて、Ｃｏｕｎｔｉｎｇ  Ｒｅｑｕｅｓｔ  Ｌｉｓｔに含まれるＭＢＭＳサービスのうち、最も興味がある／最も興味がないＭＢＭＳサービスを示す情報を使用してもよい。
【０１５０】
なお、Ｄ２Ｄ通信及びＭＢＭＳ計数手順以外の用途でＤｉｓｃｏｖｅｒｙ信号を利用するケースも考慮して、ＭＢＭＳ計数手順の用途であることを示す情報をＤｉｓｃｏｖｅｒｙ信号に含めてもよい。Ｄ２Ｄ通信及びＭＢＭＳ計数手順以外の用途とは、例えば、ＭＢＭＳ受信継続性を保証するためのＭＢＭＳ  Ｉｎｔｅｒｅｓｔ  Ｉｎｄｉｃａｔｉｏｎ手順（例えば非特許文献１参照）、ＭＢＭＳ受信状況の測定収集のためのＭＢＭＳ  ＭＤＴ手順などである。
【０１５１】
また、ＭＢＭＳ計数応答（Ｃｏｕｎｔｉｎｇ情報）を含むＤｉｓｃｏｖｅｒｙ信号を受信したＲＲＣ接続ＵＥ１００−２は、当該Ｄｉｓｃｏｖｅｒｙ信号に対応する応答信号を送信してもよい。ＭＢＭＳ対応ＵＥ１００は、ＭＢＭＳ計数応答（Ｃｏｕｎｔｉｎｇ情報）を含むＤｉｓｃｏｖｅｒｙ信号を送信してから所定時間内に応答信号を受信できない場合に、ＲＲＣ接続状態に遷移して、ＭＢＭＳ計数応答（Ｃｏｕｎｔｉｎｇ情報）をネットワークに送信してもよい。
【０１５２】
図１６は、ＭＢＭＳ計数応答（Ｃｏｕｎｔｉｎｇ情報）を含むＤｉｓｃｏｖｅｒｙ信号を受信したＲＲＣ接続ＵＥ１００−２又はｅＮＢ２００の動作を説明するための図である。
【０１５３】
図１６に示すように、ＭＢＭＳ計数応答（Ｃｏｕｎｔｉｎｇ情報）を含むＤｉｓｃｏｖｅｒｙ信号を受信したＲＲＣ接続ＵＥ１００−２又はｅＮＢ２００は、重複がないように、当該Ｄｉｓｃｏｖｅｒｙ信号の送信元ＵＥ識別子及びＣｏｕｎｔｉｎｇ情報を対応付けて保存する。メッセージＩＤ及びＭＢＳＦＮ  ａｒｅａ  Ｉｎｄｅｘをさらに対応付けてもよい。
【０１５４】
図１７は、ＭＢＭＳ計数応答の重複を解消するための処理を説明するための図である。
【０１５５】
図１７（ａ）に示すように、ｅＮＢ２００は、ＲＲＣ接続ＵＥ１００−２からのＭＢＭＳ計数応答（Ｃｏｕｎｔｉｎｇ情報）と、自ｅＮＢ２００で保持しているＭＢＭＳ計数応答（Ｃｏｕｎｔｉｎｇ情報）と、について、送信元ＵＥ識別子の一致／不一致を確認する。
【０１５６】
図１７（ｂ）に示すように、送信元ＵＥ識別子が一致する場合、重複するＭＢＭＳ計数応答（Ｃｏｕｎｔｉｎｇ情報）を１つに統合する。これにより、ＭＢＭＳ計数応答の重複を解消する。
【０１５７】
［その他の実施形態］
上述した第１実施形態乃至第５実施形態は、別個独立して実施するだけでなく、２以上の実施形態を組み合わせて実施可能である。
【０１５８】
上述した各実施形態では、ＭＢＭＳ対応端末が、ＭＢＭＳ計数要求に基づいて、ＭＢＭＳ計数応答を送信するための所定の動作を実施していたが、これに限られない。例えば、基地局が所定ＭＢＭＳの終了前に前記ＭＢＭＳを終了する旨を報知可能な場合、アイドル状態のＭＢＭＳ対応端末は、前記ＭＢＭＳの終了通知の受信に基づいて、前記ＭＢＭＳ計数応答を送信するための所定の動作を実施してもよい。その場合、前記アイドル状態のＭＢＭＳ対応端末は、前記ＭＢＭＳ計数要求を受信しても、前記所定の動作を実施しない。
【０１５９】
また、上述した各実施形態では、移動通信システムとしてＬＴＥシステムを例示したが、ＬＴＥシステムに限らず、ＬＴＥシステム以外のシステムに本発明を適用してもよい。
【０１６０】
なお、日本国特許出願第２０１４−０３２２９５号（２０１４年２月２１日出願）の全内容が、参照により、本願明細書に組み込まれている。
【産業上の利用可能性】
【０１６１】
以上のように、本実施形態に係るＭＢＭＳ制御方法、ユーザ端末及び基地局は、ＭＢＭＳサービスに対する需要状況をネットワークで十分に把握できるため、移動通信分野において有用である。
【図１】
0006461908.tif 000002
【図２】
0006461908.tif 000003
【図３】
0006461908.tif 000004
【図４】
0006461908.tif 000005
【図５】
0006461908.tif 000006
【図６】
0006461908.tif 000007
【図７】
0006461908.tif 000008
【図８】
0006461908.tif 000009
【図９】
0006461908.tif 000010
【図１０】
0006461908.tif 000011
【図１１】
0006461908.tif 000012
【図１２】
0006461908.tif 000013
【図１３】
0006461908.tif 000014
【図１４】
0006461908.tif 000015
【図１５】
0006461908.tif 000016
【図１６】
0006461908.tif 000017
【図１７】
0006461908.tif 000018